【手続補正書】
【提出日】令和3年11月29日(2021.11.29)
【手続補正１】
【補正対象書類名】明細書
【補正対象項目名】００１１
【補正方法】変更
【補正の内容】
【００１１】
加えて、第１周壁部と第２周壁部の少なくとも一方が、断面円弧状の内面を有し、該内面には、該内面の周方向に延出しつつ径方向内方に突出する円弧状突部が設けられている。それゆえ、雌端子の筒状接続部に圧入された雄端子の柱状接続部の外周面の広い範囲に高い接圧で円弧状突部を圧接させることができ、雌雄端子間の接触面積を広く安定して確保することができる。特に雄端子が円柱状の接続部を有する場合は一層広く安定した接触面積を確保できる。さらに、第１周壁部と第２周壁部の少なくとも一方の内面に、該内面の周方向に延出しつつ径方向内方に突出する円弧状突部が設けられていることから、雌端子の筒状接続部へ雄端子の柱状接続部を挿入する動作中に、円弧状突部により挿入力のピークが発生する。これにより、作業者は、雄端子が円弧状突部を越えて奥方に挿入された際に、挿入力のピークを脱して挿入完了位置まで達したことを感じることができ、雄端子と雌端子が正規嵌合されたことを検知することが可能となる。
【手続補正２】
【補正対象書類名】明細書
【補正対象項目名】００１３
【補正方法】変更
【補正の内容】
【００１３】
（３）上記（１）において、前記第１周壁部と前記第２周壁部の両方が、断面円弧状の内面を有し、前記第１周壁部と前記第２周壁部の一方の前記内面に、前記円弧状突部が設けられており、前記第１周壁部と前記第２周壁部の他方の前記内面に、該内面の軸方向に延出しつつ径方向内方に突出する線状接触部が、周方向に離隔した複数箇所に設けられていることが好ましい。第１周壁部と第２周壁部の他方の内面に突設された軸方向に延出する線状接触部が周方向で離隔した複数箇所で雄端子の柱状接続部に線接触して圧接されている。これにより、電線から雄端子に揺動が伝達された場合でも、雄端子の揺動変位を、複数の線状接触部への雄端子の当接により阻止することができる。それゆえ、第１周壁部と第２周壁部の一方の円弧状突部により、雄端子の柱状接続部の外周面の広い範囲に高い接圧で圧接しつつ、第１周壁部と第２周壁部の他方の複数の線状接触部により雄端子の揺動変位を阻止することができ、雄端子への接触面積の増大と雄端子の安定した保持を両立して達成できる。なお、第１周壁部と第２周壁部の一方の内面には、円弧状突部から軸方向に離隔した領域に複数の線状接触部が設けられていてもよく、第１周壁部と第２周壁部の他方の内面には、複数の線状接触部から軸方向に離隔した領域に円弧状突部が設けられていてもよい。
【手続補正３】
【補正対象書類名】明細書
【補正対象項目名】００２６
【補正方法】変更
【補正の内容】
【００２６】
＜電線接続部４６＞
一方、一対の延出板部４４，４４は、抵抗溶接等の公知の任意の手段を用いて相互に固着されて一体化されている。なお、一対の延出板部４４，４４は相互に重ね合せた状態で電線接続部４６を構成しており、電線接続部４６に対して電線６６の芯線６８を溶接する際に同時に相互に溶接することにより、作業性の効率化を図ることができる。この結果、雌端子金具１６は、電線接続部４６において、電線６６の芯線６８が導通接続される。
【手続補正４】
【補正対象書類名】明細書
【補正対象項目名】００２９
【補正方法】変更
【補正の内容】
【００２９】
さらに、雌端子１０の筒状接続部２４を構成する第１周壁部１２と第２周壁部１４の雄端子挿入口側に面する円弧状突部３４の側面３６が、断面円弧状とされている。これにより、雄端子２０の円柱状接続部２２が挿入される筒状接続部２４の最大内径寸法：ｒが挿入方向に向かって徐々に縮径されていることから、従来の如き円柱状接続部を小径の筒状接続部へ圧入する際の挿入抵抗の急激な上昇を抑えられ、挿入容易性の向上を図ることができる。なお、本実施形態では、筒状接続部２４の雄端子挿入口側に面する円弧状突部３４の両側面３６，３６が断面円弧状とされていることから、雌端子１０の筒状接続部２４の幅方向の挿入方向性をなくすことができる。また、円弧状突部３４，３４が設けられていることから、図６に示すように、雄端子２０の円柱状接続部２２が雌端子１０の筒状接続部２４に挿入する動作中においては、作業者は、はじめに円弧状突部３４，３４間へ雄端子２０の円柱状接続部２２を挿し入れることで挿入力のピークを実感する。その後、円弧状突部３４，３４を越えて奥方（図６中、右側）に円柱状接続部２２をさらに押し込むことで、挿入力のピークを脱して挿入完了位置まで達したことを感じることができ、雄端子２０と雌端子１０が正規嵌合されたことを検知することができるという、さらなる効果も発現される。
【手続補正５】
【補正対象書類名】明細書
【補正対象項目名】００３５
【補正方法】変更
【補正の内容】
【００３５】
（２）上記実施形態１，２では、雌端子金具１６の長さ方向の先端部側（例えば図４，図８中、左端部側）に付勢手段であるコイルばね６４やクリップ７２が取り付けられており、長さ方向の基端部側（例えば図４，図８中、右端部側）に電線接続部４６，８６が設けられていたが、これに限定されない。図１１〜１３に示す本開示の実施形態３の雌端子８８のように、雌端子金具９０が、長さ方向の一端側である先端部側に第１周壁部９２と第２周壁部９４の内面１８からなる筒状接続部９６が設けられ、長さ方向の中央部に付勢手段であるコイルばね６４やクリップ７２が取り付けられており、長さ方向の他端側である基端部側に電線接続部４６が設けられていてもよい。実施形態３においても、上記実施形態１，２と同様に、雌端子金具９０に筒状接続部９６と電線接続部４６が一体的に設けられており、雌端子８８の部品点数の削減を図ることができる。また、付勢手段であるコイルばね６４も雌端子金具９０に保持されていることから、雌端子８８の取扱性の向上を図りつつ雌端子８８と雄端子２０間の圧接力を安定して提供することができる。加えて、実施形態３のように、第１周壁部９２と第２周壁部９４の一方のみが、円弧状の内面１８を有し、第１周壁部９２のみに円弧状突部３４が突設されていてもよい。さらに、実施形態３では、雌端子金具９０が、一対の第１周端部３８，３８に連接して外方（図１２中、右方）に突出する一対の重ね板部４０ａ，４０ｂが設けられており、一対の重ね板部４０ａ，４０ｂ上にケース４８に収容されたコイルばね６４が配設保持されている。一対の重ね板部４０ａ，４０ｂの突出端部からそれぞれさらに外方（図１２中、右方）に延び出す一対の延出板部１００，１００をさらに含んでおり、一対の延出板部１００，１００が相互に重ね合されており、例えば電線６６の芯線６８を電線接続部４６に溶接する際に、一対の延出板部１００，１００も相互に固着されて一体化されている。しかも、雌端子金具９０が、筒状接続部２４の周方向の他の一か所において、軸方向全長に亘って延びる一対の第２周端部９８，９８が設けられており、一対の第２周端部９８，９８はいずれも自由端とされている。これにより、筒状接続部２４に雄端子２０が圧入される際に、一対の第２周端部９８，９８が離隔する方向に変位することにより筒状接続部２４が拡径方向に弾性変形して雄端子２０の筒状接続部２４への圧入が許容されることから、雄端子２０の筒状接続部２４への挿入力の低減を有利に図ることができるようになっている。
【手続補正６】
【補正対象書類名】明細書
【補正対象項目名】００３８
【補正方法】変更
【補正の内容】
【００３８】
（４）上記実施形態１，２，３，４では、第１周壁部１２，９２，１０４の周方向位置は、第２周壁部１４，９４の半径方向に対向する位置であったが、これに限定されない。雌端子の配設領域等の条件により任意に設定することができる。例えば、第１周壁部と第２周壁部が周方向で９０°離隔する位置に設けられて、重ね板部４０ａ，４０ｂと延出板部４４が互いに直交方向に突出するように構成されていてもよい。
【手続補正７】
【補正対象書類名】明細書
【補正対象項目名】００３９
【補正方法】変更
【補正の内容】
【００３９】
（５）上記実施形態１，２，３，４では、筒状接続部２４，９６の軸方向に直交する方向に電線接続部４６，８６に固着された電線６６が延び出していたが、筒状接続部２４，９６の軸方向に電線６６が延び出すように電線接続部４６，８６に固着されていてもよい。
【手続補正８】
【補正対象書類名】明細書
【補正対象項目名】００４０
【補正方法】変更
【補正の内容】
【００４０】
（６）上記実施形態１，２，３，４では、雄端子２０の接続部が円柱状接続部２２である例を示したが、これに限定されない。挿入される雄端子の柱状接続部の断面形状が楕円形や多角形や矩形の場合であっても、雌雄端子間の接触面積の安定確保や、圧接力の高い設定自由度の効果を享受できる。
【手続補正９】
【補正対象書類名】明細書
【補正対象項目名】００４１
【補正方法】変更
【補正の内容】
【００４１】
（７）上記実施形態１，２，３，４では、筒状接続部２４，９６の雄端子挿入口側に面する円弧状突部３４は断面円弧状であることにより、円弧状突部３４の両側面３６，３６も断面円弧状となっていたが、これに限定されない。すなわち、雄端子挿入側となる円弧状突部３４の一方の側面３６のみが断面円弧状であってもよい。また、両側面３６，３６のみが断面円弧状であって突出上面の部分が例えば平面等で構成されていてもよい。
【手続補正１０】
【補正対象書類名】特許請求の範囲
【補正対象項目名】請求項３
【補正方法】変更
【補正の内容】
【請求項３】
前記第１周壁部と前記第２周壁部の両方が、断面円弧状の内面を有し、
前記第１周壁部と前記第２周壁部の一方の前記内面に、前記円弧状突部が設けられており、
前記第１周壁部と前記第２周壁部の他方の前記内面に、該内面の軸方向に延出しつつ径方向内方に突出する線状接触部が、周方向に離隔した複数箇所に設けられている請求項１に記載の雌端子。
【手続補正１１】
【補正対象書類名】図面
【補正対象項目名】図７
【補正方法】変更
【補正の内容】
【図７】
2021028903.tif 000001